(57)【要約】【課題】通話先の移動電話端末の通話者が必要な操作を行うように通話元から誘導することができる操作誘導方法、移動電話端末及びプログラムを提供する。【解決手段】本発明に係る操作誘導方法は、ディジタル携帯電話機２０１が、ディジタル携帯電話機２０２の通話者に対して、所定の操作を行うように誘導する操作誘導情報を生成して送信し、ディジタル携帯電話機２０２が、受信した操作誘導情報に基づいて、ディジタル携帯電話機２０２の通話者に対して必要な操作を行うように誘導するものである。【選択図】      図１
2004343565.tif 000002
【特許請求の範囲】
【請求項１】
第１の移動電話端末から、第２の移動電話端末の通話者に対して所定の操作を行うように誘導する操作誘導方法であって、
前記第１の移動電話端末が、前記第２の移動電話端末の通話者に対して、前記所定の操作を行うように誘導する操作誘導情報を生成して送信するステップと、
前記第２の移動電話端末が、受信した前記操作誘導情報に基づいて、前記通話者に対して前記必要な操作を行うように誘導するステップと
を有することを特徴とする操作誘導方法。
【請求項２】
通話先の移動電話端末の通話者に対して所定の操作を行うように誘導する操作誘導情報を生成し、生成した前記操作誘導情報を前記通話先の移動端末に送信する生成送信手段を備えることを特徴とする移動電話端末。
【請求項３】
前記所定の操作を誘導する誘導方法を通話元の通話者に選択させる選択手段をさらに備え、
前記生成送信手段は、選択された前記誘導方法によって前記所定の操作を行うように誘導する操作誘導情報を生成することを特徴とする請求項２に記載の移動電話端末。
【請求項４】
前記操作誘導情報にしたがって前記通話先の移動電話端末において行われる操作を誘導する誘導方法を示す映像を表示することを特徴とする請求項２に記載の移動電話端末。
【請求項５】
前記操作誘導情報に基づいて、前記通話先の移動電話端末において行われる動作と同一の動作を行うことを特徴とする請求項２に記載の移動電話端末。
【請求項６】
移動電話端末に実行させるプログラムであって、
前記移動電話端末が、
通話先の移動電話端末の通話者に対して所定の操作を行うように誘導する操作誘導情報を生成し、
生成した前記操作誘導情報を前記通話先の移動端末に送信する
よう機能させることを特徴とするプログラム。
【発明の詳細な説明】
【０００１】
【発明の属する技術分野】
本発明は、通話先の移動電話端末の通話者に対して、所定の操作を行うように通話元から誘導する操作誘導方法、移動電話端末及びプログラムに関する。
【０００２】
【従来の技術】
現在提供されているディジタル携帯電話端末等の移動電話端末は、通話以外の多彩な機能を備えている。例えば、移動電話端末は、楽曲や動画像等の再生や、これら楽曲等を通話中に受信して、再生することができる。
【０００３】
このような移動電話端末の通話者は、利用可能な多彩な機能の中から所望の機能を選択したり、設定したりする必要があるが、限られた数の操作キーを用いて操作を行わなければならず、その内容は複雑化している。
【０００４】
そこで、通話者が所望の機能を選択したり、設定したりする際に、操作キーに組み込まれているＬＥＤを用いて、押下が有効な操作キーのみを点灯させ、選択可能な操作キーを通話者に対して案内する移動電話端末が、発明されている（特許文献１参照）。
【０００５】
【特許文献１】
特開２００２−１６３０６３号公報（第４−５頁、第４図）
【０００６】
【発明が解決しようとする課題】
しかしながら、上述した移動電話端末は、選択可能な操作キーを通話者に対して案内するものであるため、通話者に特定の機能を選択させたり、設定させたりするように誘導することはできないという問題があった。
【０００７】
特に、第３世代のディジタル携帯電話システムでは、移動電話端末に格納されている特定のアプリケーションプログラムを通話時に動作させることが必要な場合があり、通話先の通話者は、当該アプリケーションプログラムを選択したり、設定したりする操作を行うことが必要となる。
【０００８】
また、通話元の通話者から、特定のアプリケーションプログラムを使用する通話に先立って、通話先の通話者に対して、当該アプリケーションプログラムを設定するよう通知したとしても、上述したように移動電話端末の操作の内容が複雑化していることから、通話先の通話者は、当該アプリケーションプログラムを設定するために必要な操作を円滑に行うことができない場合がある。
【０００９】
そこで、本発明は、このような点に鑑みてなされたもので、通話先の移動電話端末の通話者が必要な操作を行うように通話元から誘導することができる操作誘導方法、移動電話端末及びプログラムを提供することをその目的とする。
【００１０】
【課題を解決するための手段】
上述した課題を解決するため、本発明は、次のような特徴を有している。まず、本発明の第１の特徴は、第１の移動電話端末から、第２の移動電話端末（すなわち、通話先の移動電話端末）の通話者に対して所定の操作を行うように誘導する操作誘導方法であって、前記第１の移動電話端末が、前記第２の移動電話端末の通話者に対して、前記所定の操作を行うように誘導する操作誘導情報を生成して送信するステップと、前記第２の移動電話端末が、受信した前記操作誘導情報に基づいて、前記通話者に対して前記必要な操作を行うように誘導するステップとを有することを要旨とする。
【００１１】
かかる特徴によれば、第２の移動電話端末、すなわち通話先の移動電話端末が、受信した操作誘導情報に基づいて、所定の操作、例えば通話時に動作させておくことが必要なアプリケーションを起動するための操作を行うように通話先の通話者を誘導するため、通話先の通話者は、通話を行うために予め必要な操作を確実かつ円滑に実行することができる。
【００１２】
本発明の第２の特徴は、通話先の移動電話端末の通話者に対して所定の操作を行うように誘導する操作誘導情報を生成し、生成した前記操作誘導情報を前記通話先の移動端末に送信する生成送信手段を備える移動電話端末であることを要旨とする。
【００１３】
かかる特徴によれば、生成送信手段が、通話先の移動電話端末において必要な所定の操作を行うように誘導する操作誘導情報を生成して送信するため、通話元の通話者は、必要な所定の操作を容易に通話先の通話者に行わせることができる。
【００１４】
本発明の第３の特徴は、本発明の第２の特徴における移動電話端末であって、前記所定の操作を行うように誘導する誘導方法を通話元の通話者に選択させる選択手段をさらに備え、前記生成送信手段が、選択された前記誘導方法によって前記所定の操作を行うように誘導する操作誘導情報を生成することを要旨とする。
【００１５】
かかる特徴によれば、生成送信手段が、通話元の通話者によって選択された誘導方法に基づいて操作誘導情報を生成するため、通話先の通話者に応じた誘導方法によって、所定の操作を行うように誘導することができる。例えば、移動電話端末の操作に不慣れな通話者に対しては、ディスプレイに映像を表示しつつ詳細に操作を行うように誘導する誘導方法を選択し、一方、操作に精通している通話者に対しては、ＬＥＤの点滅等による簡易な誘導方法を選択するといったことができる。
【００１６】
本発明の第４の特徴は、本発明の第２の特徴における移動電話端末であって、前記操作誘導情報にしたがって前記通話先の移動電話端末において行われる操作を誘導する誘導方法を示す映像を表示することを要旨とする。
【００１７】
かかる特徴によれば、移動電話端末が、通話先の移動電話端末において行われる操作を誘導する方法を表示するため、通話元の通話者は、通話先の移動電話端末において行われる誘導方法を把握することができる。
【００１８】
本発明の第５の特徴は、本発明の第２の特徴における移動電話端末であって、前記操作誘導情報に基づいて、前記通話先の移動電話端末において行われる動作と同一の動作を行うことを要旨とする。
【００１９】
かかる特徴によれば、通話先の移動電話端末と、通話元の移動電話端末との双方において、操作誘導情報に基づく動作が行われるため、通話者は、操作誘導情報に基づいて通話先の移動電話端末において行われる動作を容易に確認することができる。
【００２０】
本発明の第６の特徴は、移動電話端末に実行させるプログラムであって、前記移動電話端末が、通話先の移動電話端末の通話者に対して所定の操作を行うように誘導する操作誘導情報を生成し、生成した前記操作誘導情報を前記通話先の移動端末に送信するよう機能させることを要旨とする。
【００２１】
【発明の実施の形態】
（本実施形態に係る移動電話端末を含む全体構成図）
本発明の実施形態について図面を参照しながら説明する。図１は、本実施形態に係る移動電話端末を含む全体構成図である。
【００２２】
同図に示すように、ディジタル携帯電話機２０１（移動電話端末）と、ディジタル携帯電話機２０２とは、所定の無線周波数を用い、ディジタル携帯電話網２０３を介して無線通信を行うものである。
【００２３】
ＩＰ通信網２０４は、インターネットを含むＩＰプロトコル群をベースとする通信網である。本実施形態では、ＩＰ通信網２０４には、アプリケーションプログラム提供サーバ２０５が接続されている。
【００２４】
また、ディジタル携帯電話機２０１と、ディジタル携帯電話機２０２とは、第３世代のディジタル携帯電話システムにおいて用いられるディジタル携帯電話機であり、ＴＶ電話サービスや、特定の機能を用いた通話を行うことができる。例えば、ディジタル携帯電話機２０１は、通話時において、効果音等の音響情報をディジタル携帯電話機２０２に送信することができる。
【００２５】
効果音等の音響情報の送受等、特定の機能を用いた通話を行うためには、ディジタル携帯電話機２０１と、ディジタル携帯電話機２０２とに所定のアプリケーションプログラムを格納する必要がある。ディジタル携帯電話機２０１と、ディジタル携帯電話機２０２とは、ディジタル携帯電話網２０３と、ＩＰ通信網２０４とを介してアプリケーションプログラム提供サーバ２０５に接続し、特定の機能を用いた通話を行うためのアプリケーションプログラムを取得することができる。
【００２６】
また、例えば、ディジタル携帯電話機２０１から、ディジタル携帯電話機２０２に対して、上述したような特定の機能を用いた通話を行う場合、ディジタル携帯電話機２０２において、必要となるアプリケーションプログラムを予め動作させておく必要がある。
【００２７】
そこで、ディジタル携帯電話機２０１は、特定の機能を用いた通話を行う際、ディジタル携帯電話機２０２の通話者に対して、必要となるアプリケーションプログラムを動作させるための操作を行うように誘導することができる。
【００２８】
具体的には、ディジタル携帯電話機２０１は、アプリケーションプログラム提供サーバ２０５から、ディジタル携帯電話機２０２の仕様と対応する操作誘導情報変換テーブルを取得する。さらに、ディジタル携帯電話機２０１は、取得した操作誘導情報変換テーブルに基づいて、特定のアプリケーションプログラムを動作させるためにディジタル携帯電話機２０２において行うことが必要な操作を行うように誘導する操作誘導情報、すなわちスクリプトを生成し、ディジタル携帯電話機２０２に送信する。
【００２９】
ディジタル携帯電話機２０２は、ディジタル携帯電話機２０１から受信した操作誘導情報を実行することにより、ディジタル携帯電話機２０２に設けられているＬＥＤを点滅したり、ディスプレイに映像を表示したりすることにより、ディジタル携帯電話機２０２の通話者に対して、特定のアプリケーションプログラムを動作させるために必要な操作を行うように誘導することができる。
【００３０】
（移動電話端末の構成）
図２は、本実施形態に係るディジタル携帯電話機２０１，２０２の外観図である。ディジタル携帯電話機２０１，２０２には、操作キー部３１０と、マイク３１２と、スピーカ３１４と、カメラ３１５と、ディスプレイ３２２とが配置されている。
【００３１】
操作キー部３１０の各操作キーには、ＬＥＤが組み込まれており、ディジタル携帯電話機２０１，２０２に格納されているアプリケーションプログラムによって制御することができる。
【００３２】
また、ディジタル携帯電話機２０１，２０２は、上述したＬＥＤ、ディスプレイ３２２に表示される映像、スピーカ３１４によって再生される音響等により、通話者が操作を行うように誘導する。
【００３３】
図３は、ディジタル携帯電話機２０１の機能ブロック構成を示す図である。
【００３４】
ディジタル携帯電話機２０１は、無線信号の送受等を行うため、無線受信部３０１と、無線送信部３０２と、発着信制御部３０４と、パケット通信制御部３０５と、多重化部３１８と、多重分離部３１９とを有している。
【００３５】
また、ディジタル携帯電話機２０１は、図１に示したディジタル携帯電話網２０３を介した無線通信以外の方法により、必要なアプリケーションプログラムや操作誘導情報変換テーブルを取得するため、ＩＣカードインタフェース部３０７と、ＩＥＥＥ８０２．１５等の規格に準拠した近距離無線通信部３０８と、ＩｒＤＡ規格に準拠した赤外線通信部３０９とを有している。
【００３６】
さらに、ディジタル携帯電話機２０１は、通話者とのインターフェースとして、操作キー部３１０と、可動部３１１と、マイク３１２と、スピーカ３１４と、カメラ３１５と、ディスプレイ３２２とを有している。
【００３７】
可動部３１１は、ディジタル携帯電話機２０１に設けられている折り曲げ部等の可動部分であり、当該可動部分が操作されたことを検出することができる。
【００３８】
次に、特定の機能を用いた通話に際し、予め、通話先のディジタル携帯電話機２０２において動作させておく必要があるアプリケーションプログラムの操作をディジタル携帯電話機２０２の通話者が行うように誘導する操作誘導情報を生成する機能ブロックについて説明する。
【００３９】
ディジタル携帯電話機２０１は、操作誘導情報を生成して送信するために、ディジタルデータ格納部３０６と、操作誘導情報生成部３２３と、操作誘導情報符号化部３２４と、映像合成部３２５と、アプリケーションプログラム実行部４０１とを有している。
【００４０】
なお、操作誘導情報生成部３２３と、操作誘導情報符号化部３２４と、映像合成部３２５との機能は、ダウンロード可能なプログラムとして提供することができる。
【００４１】
ディジタルデータ格納部３０６は、ディジタル携帯電話網２０３を介して、アプリケーションプログラム提供サーバ２０５から取得した操作誘導情報変換テーブルを格納するものである。また、ディジタルデータ格納部３０６は、ＩＣカードインタフェース部３０７、近距離無線通信部３０８または赤外線通信部３０９を介して取得した操作誘導情報変換テーブルを格納することもできる。さらに、ディジタルデータ格納部３０６は、アプリケーションプログラム実行部４０１において実行されるアプリケーションプログラムを格納することもできる。
【００４２】
操作誘導情報生成部３２３は、ディジタル携帯電話機２０２の通話者に対して、所定の操作を行うように誘導する操作誘導情報を生成するものである。
【００４３】
具体的には、操作誘導情報生成部３２３は、ディジタルデータ格納部３０６に格納されている操作誘導情報変換テーブルに基づいて、特定の機能を用いた通話を行う際に必要なアプリケーションプログラムを動作させるために必要な操作をディジタル携帯電話機２０２の通話者が行うように誘導する操作誘導情報、すなわち本実施形態では、スクリプトを生成する。
【００４４】
図６は、操作誘導情報変換テーブルの一例を示している。同図に示すように、操作誘導情報変換テーブルは、誘導された通話者の操作によって実行されるディジタル携帯電話機２０２の機能を示す「誘導対象機能」と、誘導の対象とする機能を実行するために必要な操作の内容を示す「操作内容」と、どのような方法でディジタル携帯電話機２０２の通話者に操作を行うように誘導するかを示す「誘導方法」とが対応付けられたものである。
【００４５】
なお、操作誘導情報変換テーブルは、操作誘導情報変換テーブルに基づいて生成された操作誘導情報を実行するディジタル携帯電話機２０２の仕様（アプリケーションプログラム）に対応しているものを用いる。
【００４６】
また、操作誘導情報生成部３２３は、ディジタルデータ格納部３０６に格納されている操作誘導情報変換テーブルの内容をリストとして、ディスプレイ３２２に表示させることができる。なお、本実施形態では、操作誘導情報生成部３２３は、ディジタル携帯電話機２０１の通話者に対して、ディジタル携帯電話機２０２において行われる誘導方法を選択させる選択させる選択手段を構成する。
【００４７】
表示された操作誘導情報変換テーブルに基づいて、ディジタル携帯電話機２０１の通話者が、「誘導対象機能」と、「誘導方法」とを選択すると、操作誘導情報生成部３２３は、選択された「誘導対象機能」と対応付けられている「操作内容」に記述されている操作を行うように誘導するスクリプトを生成する。
【００４８】
例えば、ディジタル携帯電話機２０１の通話者が、図６に示す「誘導対象機能」：アプリケーションＡ・起動、「誘導方法」：映像＋ＬＥＤを選択した場合、アプリケーションＡ・起動と対応付けられている「操作内容」に基づいて、アプリケーションＡを起動するための操作を、ディジタル携帯電話機２０２のディスプレイ３２２に表示される映像と、ＬＥＤランプ４０２とにより誘導するスクリプトを生成する。なお、アプリケーションＡ・起動と対応付けられている「操作内容」：Ｆ−１−２は、ファンクションキー（Ｆ）、テンキー（１）、テンキー（２）の順序により、操作する必要があることを示している。
【００４９】
また、操作誘導情報生成部３２３は、選択された「誘導対象機能」と、「誘導方法」とに基づいて、ディジタル携帯電話機２０２において行われる動作を示す映像を生成し、映像合成部３２５に送出する。
【００５０】
さらに、操作誘導情報生成部３２３は、選択された「誘導対象機能」と、「誘導方法」とに基づいて、ディジタル携帯電話機２０２において、通話者が操作を行うように誘導するために行われる動作と同一の動作を行うこともできる。
【００５１】
操作誘導情報符号化部３２４は、操作誘導情報生成部３２３によって生成された操作誘導情報を多重化部３１８において多重可能な信号に符号化し、多重化部３１８に送出する。なお、本実施形態では、操作誘導情報生成部３２３と、操作誘導情報符号化部３２４とによって、生成送信手段を構成する。
【００５２】
映像合成部３２５は、操作誘導情報生成部３２３から送出された、操作誘導情報にしたがってディジタル携帯電話機２０２において行われる動作を示す映像と、動画像復号化部３２１から送出された映像とを合成するものである。また、映像合成部３２５は、合成された映像をディスプレイ３２２に表示させる。
【００５３】
また、ディジタル携帯電話機２０１は、ＬＥＤランプ４０２を有している。ＬＥＤランプ４０２は、ディジタル携帯電話機２０１の筐体に設けられている着信表示用等の独立したＬＥＤや操作キー部３１０の各キーに組み込まれているＬＥＤである。本実施形態では、ＬＥＤランプ４０２は、アプリケーションプログラム実行部４０１からの指示に基づいて、点灯や点滅することができる。
【００５４】
また、ディジタル携帯電話機２０１は、音声信号及び動画像信号の符号化処理を行うため、ノイズキャンセリング回路３１３と、広帯域音声・音響情報符号化部３１７と、広帯域音声・音響情報復号化部３２０と、動画像符号化部３１６と、動画像復号化部３２１とを有している。
【００５５】
ノイズキャンセリング回路３１３は、マイク３１２によって取得された通話者の音声信号に含まれている背景雑音を抑制するものものである。
【００５６】
広帯域音声・音響情報符号化部３１７は、音声信号や効果音等の音響情報を所定の音声符号化則に基づいて符号化するものである。広帯域音声・音響情報復号化部３２０は、符号化された音声信号や音響情報を復号し、復号された音声信号や音響情報をスピーカ３１４に送出するものである。
【００５７】
動画像符号化部３１６は、カメラ３１５によって取得された動画像信号を所定の動画像符号化則に基づいて符号化する。一方、動画像復号化部３２１は、符号化された動画像信号を復号し、復号化された動画像信号をディスプレイ３２２に表示させるものである。
【００５８】
図４は、ディジタル携帯電話機２０２の機能ブロック構成を示す図である。なお、ディジタル携帯電話機２０１と同様の機能を有するブロックについては、同一の符号を付与し、その説明を省略する。
【００５９】
ディジタル携帯電話機２０２は、ディジタル携帯電話機２０１から操作誘導情報を受信し、当該操作誘導情報に基づいて、ディジタル携帯電話機２０２の通話者に対して操作を行うように誘導するために、操作誘導情報復号化部４０４と、アプリケーションプログラム実行部４０１と、スピーカ３１４と、ディスプレイ３２２と、ＬＥＤランプ４０２と、振動モータ・アクチュエータ４０３と、映像合成部３２５とを有している。
【００６０】
振動モータ・アクチュエータ４０３は、バイブレーション機能及びディジタル携帯電話機２０１の筐体の変形を実現するものであり、本実施形態では、アプリケーションプログラム実行部４０１からの指示に基づいて、動作することができる。
【００６１】
操作誘導情報復号化部４０４は、ディジタル携帯電話機２０１から受信した、符号化された操作誘導情報を復号し、アプリケーションプログラム実行部４０１に送出する。
【００６２】
アプリケーションプログラム実行部４０１は、操作誘導情報復号化部４０４から送出された操作誘導情報、すなわちスクリプトを読み込み、実行するものである。具体的には、アプリケーションプログラム実行部４０１は、受信したスクリプトを実行し、ディジタル携帯電話機２０２の筐体に設けられている着信表示用等の独立したＬＥＤ、及び操作キー部３１０の各キーに組み込まれているＬＥＤであるＬＥＤランプ４０２、または振動モータ・アクチュエータ４０３に対して、操作誘導情報に応じた動作を指示する。また、アプリケーションプログラム実行部４０１は、受信したスクリプトを実行し、ディスプレイ３２２に表示させる映像を生成することができる。
【００６３】
アプリケーションプログラム実行部４０１が、ディジタル携帯電話機２０１から受信した操作誘導情報に応じた動作を、ＬＥＤランプ４０２や振動モータ・アクチュエータ４０３等を用いて行うことによって、特定のアプリケーションプログラムを動作させるための操作を、ディジタル携帯電話機２０２の通話者が行うように誘導することができる。
【００６４】
映像合成部３２５は、アプリケーションプログラム実行部４０１によって生成された映像と、動画像復号化部３２１から送出された映像とを合成するものである。また、映像合成部３２５は、合成された映像をディスプレイ３２２に表示させる。
【００６５】
なお、上述した本実施形態に係るディジタル携帯電話機２０１と、ディジタル携帯電話機２０２とは、一体のディジタル携帯電話機として構成してもよい。すなわち、双方のディジタル携帯電話機において、通話先のディジタル携帯電話機に対して操作誘導情報を送信できるように構成してもよい。
【００６６】
また、本実施形態に係るディジタル携帯電話機２０１と、ディジタル携帯電話機２０２とを、一体のディジタル携帯電話機として構成した場合、次のように動作させることができる。
【００６７】
すなわち、ディジタル携帯電話機２０１から、操作誘導情報を受信したディジタル携帯電話機２０２は、受信した操作誘導情報に基づいて、ディジタル携帯電話機２０２の通話者による、操作誘導情報にしたがって行った操作が完了した場合、ディジタル携帯電話機２０１に対して、操作の完了を通知するスクリプトを送信することができる。
【００６８】
さらに、一定の時間内に操作の完了を通知するスクリプトが、ディジタル携帯電話機２０２から送信されない場合、ディジタル携帯電話機２０１は、必要な操作を行うことをディジタル携帯電話機２０２の通話者に対して催促するメッセージ（テキスト、静止画、動画像等）を送信するようにしてもよい。
【００６９】
（移動電話端末の動作）
次に、図５を参照して、上述した本実施形態に係るディジタル携帯電話機２０１，２０２の動作について説明する。
【００７０】
ここで、ディジタル携帯電話機２０１には、ディジタル携帯電話機２０２の仕様に対応している操作誘導情報変換テーブルが格納されているものとする。また、ディジタル携帯電話機２０２には、特定の機能を用いた通話を行う際に必要となるアプリケーションプログラムが格納されているものとする。
【００７１】
まず、ディジタル携帯電話機２０１は、ディジタル携帯電話機２０２に対して発信する（Ｓ１０）。ディジタル携帯電話機２０２は、ディジタル携帯電話機２０１からの着信に応答する（Ｓ２０）。
【００７２】
ディジタル携帯電話機２０２が、ディジタル携帯電話機２０１からの着信に応答することにより、ディジタル携帯電話機２０１とディジタル携帯電話機２０２との間において通話が開始される（Ｓ３０）。なお、ステップＳ３０において、ディジタル携帯電話機２０１とディジタル携帯電話機２０２とは、音声及び動画像を送受信し、ＴＶ電話サービスを行ってもよい。
【００７３】
次いで、ディジタル携帯電話機２０１の通話者は、例えば、ディスプレイ画面Ｄ１に示すように、操作誘導情報変換テーブルの中から、特定の機能を用いた通話を行う際に、予めディジタル携帯電話機２０２において起動させることが必要となるアプリケーションプログラム（図６に示した「誘導対象機能」）を選択する（Ｓ４０）。
【００７４】
ディジタル携帯電話機２０１は、ステップＳ４０におけるディジタル携帯電話機２０１の通話者の選択結果に基づいて、操作誘導情報変換テーブルを参照し、当該アプリケーションプログラムを起動させるために、ディジタル携帯電話機２０２の通話者が行うことが必要な操作を行うように誘導する操作誘導情報（スクリプト）を生成する（Ｓ５０）。
【００７５】
なお、ステップＳ４０及びＳ５０の処理は、ディジタル携帯電話機２０１の通話者によるディジタル携帯電話機２０２に対する発信に先立って実行してもよい。これにより、ステップＳ１０またはステップＳ３０の処理において、生成した操作誘導情報をディジタル携帯電話機２０２に対して送信することができ、ディジタル携帯電話機２０２の通話者を速やかに誘導することができる。
【００７６】
次いで、ディジタル携帯電話機２０１は、生成した制御情報をディジタル携帯電話機２０２に送信する（Ｓ６０）。なお、操作誘導情報は、音声信号を送受する通話チャネルを用いて送信してもよいし、呼の接続のために設けられている制御チャネルを用いて送信してもよい。
【００７７】
また、ディジタル携帯電話機２０１は、ディスプレイ画面Ｄ２に示すように、操作誘導情報に基づいて、ディジタル携帯電話機２０２において行われる動作を示す映像を表示する（Ｓ７０）。ディスプレイ画面Ｄ２は、映像とＬＥＤの点滅とにより、ディジタル携帯電話機２０２の通話者が操作を行うように誘導する誘導方法が選択された場合に表示される映像を示している。
【００７８】
ディジタル携帯電話機２０２は、ステップＳ６０においてディジタル携帯電話機２０１から送信された操作誘導情報を実行し、操作誘導情報によって規定された誘導方法により、ステップＳ４０において選択されたアプリケーションプログラムを起動させるために必要な操作をディジタル携帯電話機２０２の通話者が行うように誘導する（Ｓ８０）。具体的には、ディジタル携帯電話機２０２は、操作誘導情報を実行することにより、ディスプレイ３２２に映像を表示させるとともに、ＬＥＤを点滅させることにより、必要な操作を行うように誘導する。
【００７９】
ディジタル携帯電話機２０２の通話者は、ディジタル携帯電話機２０２による誘導にしたがって、アプリケーションプログラムを起動させるための操作を行う（Ｓ９０）。
【００８０】
ステップＳ９０における通話者の操作が完了することにより、特定の機能を用いた通話に必要となるアプリケーションプログラムが、ディジタル携帯電話機２０２において起動される（Ｓ１００）。その後、ディジタル携帯電話機２０１とディジタル携帯電話機２０２との間おいて、ステップＳ１００において起動されたアプリケーションプログラムを用いて、通話が開始される（Ｓ１１０）。
【００８１】
次に図７及び図８を参照して、ディジタル携帯電話機２０２において行われる通話者の誘導方法の例について説明する。
【００８２】
図７（ａ）乃至（ｃ）は、操作誘導情報を実行した場合におけるディジタル携帯電話機２０２の動作例を示している。
【００８３】
まず、図７（ａ）において、テンキー５０１は、受信した操作誘導情報に基づいて、組み込まれたＬＥＤが点減しており、操作キー５０１を押下するように通話者を誘導している。
【００８４】
また、画像６０１は、同様に操作誘導情報に基づいて、ディスプレイ３２２に表示された画像（キャラクタ）であり、通話者の操作に応じて表情を変化させることができる。
【００８５】
図７（ｂ）は、通話者が、ＬＥＤの点滅による誘導にしたがって、テンキー５０１を押下した直後の状態であり、テンキー５０１は、点灯状態になるとともに、次に押下すべきテンキー５０２が点減する。
【００８６】
また、ディスプレイ３２２に表示された映像６０２は、映像６０１から表情が変化し、適切な操作が行われていることを示している。
【００８７】
ここで、通話者が、テンキー５０１と異なる操作キーを押下した場合には、アプリケーションプログラム実行部４０１が、振動モータ・アクチュエータ４０３を動作させることにより、誤った操作を行ったことを通話者に認識させることもできる。
【００８８】
さらに、ディジタル携帯電話機２０２は、テンキー５０１等を点灯もしくは点滅させて、通話者を誘導する前に、ディジタル携帯電話機２０１の通話者からのメッセージ（テキスト、静止画または動画像）をディスプレイ３２２に表示させてもよい。また、テンキー５０１等を押下すると、スピーカ３１４から所定の音響を送出し、誘導にしたがった適切な操作が行われた場合には、綺麗なメロディーが流れるといった機能を持たせてもよい。
【００８９】
さらに、図７（ｃ）は、テンキー５０２を押下した直後の状態であり、テンキー５０２も点灯状態になり、必要な操作が終了したことを示している。また、ディスプレイ３２２には、映像６０２から変化した、キャラクタが微笑んでいる映像６０３が表示され、必要な操作が適切に行われたことを示している。
【００９０】
このように、視覚、聴覚、触角に働きかける誘導方法によって、ディジタル携帯電話機２０２が通話者を誘導するため、特定の機能を用いた通話を行う際に、予めディジタル携帯電話機２０２において行うことが必要な操作を、確実かつ円滑に行うように通話者を誘導することができる。
【００９１】
図８（ａ）及び（ｂ）は、ディジタル携帯電話機２０２において操作誘導情報を実行した場合における他の動作例を示している。
【００９２】
図８に示す動作例は、ディジタル携帯電話機２０２の外観を模したアイコンと、人の手の形状を模したアイコンとを表示する。さらに、押下する必要のある操作キー部３１０の該当するテンキーやファンクションキーを、手の形状を模したアイコンが押下する映像を表示させることにより、ディジタル携帯電話機２０２の通話者が必要な操作を行うように誘導する。
【００９３】
図８（ａ）には、ディジタル携帯電話機２０２の外観を模したアイコンの映像が、ディスプレイ３２２に表示されている。映像７０１は、操作誘導情報に基づいて、ディジタル携帯電話機２０２が、誘導を開始した時点の映像であり、ディジタル携帯電話機２０２は、最初に押下すべき特定のテンキーまたはファンクションキーの位置を、手の形状を模したアイコンと、「ここのボタンを押してね」というメッセージとにより、操作を行うように通話者を誘導する。
【００９４】
また、図８（ｂ）は、図８（ａ）の映像７０１にしたがって、ディジタル携帯電話機２０２の通話者が誘導された操作を行った場合を示している。
【００９５】
ディスプレイ３２２に表示されている映像７０２は、押下すべきテンキーまたはファンクションキーの位置を、手の形状を模したアイコンと、「次はこのボタンね」というメッセージとにより、次の操作を行うように誘導している。
【００９６】
なお、上述した図７に示した動作例と、図８に示した動作例とを組み合わせた誘導方法を提供することもできる。
【００９７】
また、上述した通話者を誘導する誘導方法の動作例は、以下のような変更を加えることができる。
【００９８】
例えば、ディジタル携帯電話機２０１と、ディジタル携帯電話機２０２との間において、音声信号と動画像との送受を行っている場合、すなわちＴＶ電話サービスを利用している場合、ディジタル携帯電話機２０１と、ディジタル携帯電話機２０２とは、操作誘導情報を示すアニメーションの映像と、ＴＶ電話サービスの利用による通話の相手の映像とを交互に表示したり、分割して両映像をディスプレイ３２２に表示したりすることにより、ディジタル携帯電話機２０２の通話者に対して、必要な操作を行うように誘導してもよい。
【００９９】
（作用・効果）
本実施形態によれば、ディジタル携帯電話機２０２が、受信した操作誘導情報に基づいて、所定の操作、例えば通話時に動作させておくことが必要なアプリケーションを起動するための操作を行うように誘導するため、ディジタル携帯電話機２０２の通話者は、通話を行うために予め必要な操作を確実かつ円滑に実行することができる。
【０１００】
本実施形態によれば、操作誘導情報生成部３２３が、ディジタル携帯電話機２０２において必要な所定の操作を行うように誘導する操作誘導情報を生成し、操作誘導情報符号化部３２４が、生成した操作誘導情報をディジタル携帯電話機２０２に送信するため、ディジタル携帯電話機２０１の通話者は、必要な所定の操作を容易にディジタル携帯電話機２０２の通話者に行わせることができる。
【０１０１】
本実施形態によれば、操作誘導情報生成部３２３が、ディジタル携帯電話機２０１の通話者によって選択された誘導方法に基づいて操作誘導情報を生成するため、ディジタル携帯電話機２０２の通話者に応じた誘導方法によって、所定の操作を行うように誘導することができる。例えば、操作に不慣れな通話者に対しては、ディスプレイに映像を表示しつつ詳細に操作を行うように誘導する誘導方法を選択し、一方、操作に精通している通話者に対しては、ＬＥＤの点滅等による簡易な誘導方法を選択するといったことができる。
【０１０２】
本実施形態によれば、ディジタル携帯電話機２０１が、ディジタル携帯電話機２０１に設けられているディスプレイ３２２に、ディジタル携帯電話機２０２において行われる操作の誘導方法を表示するため、ディジタル携帯電話機２０１の通話者は、ディジタル携帯電話機２０２において行われる誘導方法を把握することができる。
【０１０３】
【発明の効果】
以上説明したように本発明によれば、通話先の移動電話端末の通話者が必要な操作を行うように通話元から誘導することができる操作誘導方法、移動電話端末及びプログラムを提供することができる。
【図面の簡単な説明】
【図１】本発明の実施形態に係る移動電話端末を含む全体構成図である。
【図２】本発明の実施形態に係る移動電話端末の外観図である。
【図３】本発明の実施形態に係る移動電話端末のブロック構成を示す図である。
【図４】本発明の実施形態に係る移動電話端末のブロック構成を示す図である。
【図５】本発明の実施形態に係る移動電話端末の動作を示す図である。
【図６】本発明の実施形態に係る操作誘導情報変換テーブルの一例を示す図である。
【図７】本発明の実施形態に係る操作の誘導方法に基づく移動電話端末の動作例を示す図である。
【図８】本発明の実施形態に係る操作の誘導方法に基づく移動電話端末の動作例を示す図である。
【符号の説明】
２０１，２０２…ディジタル携帯電話機
２０３…ディジタル携帯電話網
２０４…ＩＰ通信網
２０５…アプリケーションプログラム提供サーバ
３０１…無線受信部
３０２…無線送信部
３０４…発着信制御部
３０５…パケット通信制御部
３０６…ディジタルデータ格納部
３０７…ＩＣカードインタフェース部
３０８…近距離無線通信部
３０９…赤外線通信部
３１０…操作キー部
３１１…可動部
３１２…マイク
３１３…ノイズキャンセリング回路
３１４…スピーカ
３１５…カメラ
３１６…動画像符号化部
３１７…広帯域音声・音響情報符号化部
３１８…多重化部
３１９…多重分離部
３２０…広帯域音声・音響情報復号化部
３２１…動画像復号化部
３２２…ディスプレイ
３２３…操作誘導情報生成部
３２４…操作誘導情報符号化部
３２５…映像合成部
４０１…アプリケーションプログラム実行部
４０２…ＬＥＤランプ
４０３…振動モータ・アクチュエータ
４０４…操作誘導情報復号化部
５０１，５０２…テンキー
６０１，６０２，６０３…映像
７０１，７０２…映像
【図１】
2004343565.tif 000003
【図２】
2004343565.tif 000004
【図３】
2004343565.tif 000005
【図４】
2004343565.tif 000006
【図５】
2004343565.tif 000007
【図６】
2004343565.tif 000008
【図７】
2004343565.tif 000009
【図８】
2004343565.tif 000010